(57)【要約】      （修正有）【課題】摩耗しにくくいつまでも円滑な回転運動が可能な旗類を有する旗類掲示装置を提供する。【解決手段】ポール３と、ポールの周りに回転自在に外嵌された旗類装着回転体１０と、回転体の上下に相当するポール外周位置に設けられた受体６とを有する旗類掲示装置において、ポールの外周には、耐摩耗性のある下地筒５が装着されるとともに、下地筒は、受体により固定されていることを特徴とする。【選択図】図１
0003221339.tif 000002
【実用新案登録請求の範囲】
【請求項１】
ポールと、そのポールの周りに回転自在に外嵌された旗類装着回転体と、同回転体の上下に相当するポール外周位置に設けられた受体とを有する旗類掲示装置において、前記ポールの外周には、耐摩耗性のある下地筒が装着されるとともに、同下地筒は、前記受体により固定されていることを特徴とする旗類掲示装置。
【考案の詳細な説明】
【技術分野】
【０００１】  本考案は、旗類掲示装置に関する。
【背景技術】
【０００２】  例えば、旗類を掲揚するには、掲揚ポールの上端に滑車を設け、その滑車に日の丸国旗などの旗類を備えたロープを掛け回しておくことにより旗類を掲揚可能にしたものが一般的である。そうした一例としては、特許公報１に示すものがある。
【先行技術文献】
【特許文献】
【０００３】
【特許文献１】特許第５９２４６５１号
【考案の概要】
【考案が解決しようとする課題】
【０００４】  特許文献１に示すものは、掲揚旗なびかせ法についてのもので旗類が風に応じて向きを変え得るようにしたものであるが、その回転体である、頭部外管や抱輪付き金具などの回転を受ける掲揚ポールはアルミ合金や樹脂あるいはスチールなどにより造られていてその外面は素地のままで摩耗しやすいものでなっていた。その結果、比較的早期に摩耗を発生し、円滑な回転性能を発揮できなくなるおそれがあった。【０００５】  本考案は、こうした問題を解決しようとするものであり、摩耗しにくくいつまでも円滑な回転運動が可能な旗類を有する旗類掲示装置を提供することを目的とする。
【課題を解決するための手段】
【０００６】  本考案は上記目的を達成するため、請求項１に記載の考案は、ポールと、そのポールの周りに回転自在に外嵌された旗類装着回転体と、同回転体の上下に相当するポール外周位置に設けられた受体とを有する旗類掲示装置において、前記ポールの外周には、耐摩耗性のある下地筒が装着されるとともに、同下地筒は、前記受体により固定されていることを特徴とする。耐摩耗性の下地筒とは、耐摩耗性の高い塗料により一体形成される筒部をも含む。
旗類とは国旗・校旗・団体標章旗・店舗標章旗・イベント標章旗など表示内容を問わず広くその対象とする。ポールは、垂直の他に斜め指向のものであってもよい。
【考案の効果】
【０００７】  上述したように請求項１に記載の考案は、ポールと、そのポールの周りに回転自在に外嵌された旗類装着回転体と、同回転体の上下に相当するポール外周位置に設けられた受体とを有する旗類掲示装置において、前記ポールの外周には、耐摩耗性のある下地筒が装着されるとともに、同下地筒は、前記受体により固定されていることを特徴とするので、摩耗しにくくいつまでも円滑な回転運動が可能な旗類を有する旗類掲示装置を提供することができる。
【図面の簡単な説明】
【０００８】
【図１】  本考案の一実施形態を示す旗類掲示装置の全景図。
【図２】  図１のＩＩ−ＩＩ線拡大断面図。
【図３】  図２に基づく取付要領を示す断面図。
【図４】  他の実施形態を示す横断面図。
【図５】  図４に基づく取付要領を示す断面図。
【図６】  図５の旗類装着回転体を示す斜視図。
【図７】  他の実施形態を示す旗類掲示装置を示す全景図。
【図８】  他の実施形態を示す旗類掲示装置の全景図。
【図９】  他の実施形態を示す旗類掲示装置の全景図。
【図１０】  他の実施形態を示す旗類掲示装置の全景図。
【図１１】  他の実施形態を示す要部断面図。
【考案を実施するための形態】
【０００９】  以下、本考案である旗類掲示装置の一実施形態を図１ないし図３に基づいて説明する。
これらの図において、１はビルなどの屋上面、２は台座で、この台座２からはアルミ合金やＳＵＳ製あるいは樹脂製などのパイプ型ポール３が立設されている。このポール３の頂部には、避雷針本体４が装着されて、ポール３は避雷針専用とされているが、このポール３は、旗類掲示用の他、電柱であったり街燈ポールであったりする。ポール３はパイプ型の他、中実状のものも含む。
【００１０】  このポール３の上部は、例えば、アルミ合金製である場合にはその合金下地そのままを露出させるのでなく、その周りに下地材よりも耐摩耗性に優れるＳＵＳやチタンなどの下地筒５が嵌めこまれている。下地筒５は、極く薄い肉厚（例えば、ｔ＝１〜２ｍｍ）をしていて例えば、高さ１ｍ１０ｃｍの円筒体とされてポール３に嵌め込まれる形になっている。そして、この下地筒５は、その上下位置に設けられた受体６，６の締付けによって固定されている。受体６は、図１に取り出して示すように、２つ割れ型でボルト締め式の器具とされている。
【００１１】  ８はワッシャで、ポール３の周りを回転し得るものとされている。このワッシャ８は上下それぞれ２枚ずつにしてもよい。１０は旗類装着回転体で、アルミ合金やＳＵＳ製あるいは樹脂製によって厚み３ｍｍ前後の半円筒型の一対でなりそれらの対向フランジ１０ａに止着具１１を備えることにより一つの円筒型に合わせられるようになっている。
【００１２】  旗類装着回転体１０の内径は、下地筒５の外径よりも少しだけ大きい内径になっていてポール３周りで抵抗なく回転し得るものとされている。この回転体１０の高さは、例えば、１ｍとされる。旗類装着回転体１０の一方のフランジ１０ａを介して止着具１１により旗類１２の基部が取り付けられている。この旗類１２は、強い風雨・酷暑熱などによっては容易に破れたりしないように化学繊維による強い布を２枚合わせにしたものになっている。旗類１２には強靭化のための特殊塗料を施してもよい。
【００１３】  旗類１２は、そのコーナー一部に対して日の丸とか社旗標示あるいは観光地標示や名産物標示Ａなどを付し他の大部分の面部を介して「旗を揚げて社会貢献を目指します」とか「五輪・万博を応援します」などの社会へのメッセージや地元民謡とか企業理念などのいずれかを表現するようにする。
【００１４】  旗類装着回転体１０の旗類１２とは反対側のフランジ１０ａ側には、旗類１２が風によってフランジ１０ａ側に巻き付いたときに破れたりしないようにＵ字カバー型の樹脂製あるいはゴム製の保護カバー１３を共締めしておくこともある。
【００１５】  この装置は、ポール３の上部に下地筒５を嵌着して上下の受体６，６をその上から上下１ｍより数ｃｍの間隔をおいて締付固定することで下地筒５を固定した状態とし、その一方で、図３に示すように、旗類装着回転体１０の一方に旗類１２を軽く止め付けることで旗類装着回転体１０を開きながらポール３をくわえるようにしてのち他方の両フランジ１０ａを保護カバー１３とともに締め付け固定するようにする。旗類装着回転体１０は締め付けても下地筒５の外周で抵抗なく回転し得るものとされ、その際下地筒５の存在により極力摩耗が抑えられながら回転することとなる。受体６，６は下地筒５の締付固定の機能の他に旗類装着回転体１０の上下のストッパとしての機能も併せもつ。
【００１６】  旗類装着回転体１０は、フランジ付き半円筒体の一対でなっていたが、図４ないし図６に示すように、片方のフランジ１０ａ、１０ａをつなぎ部１０ｂで樹脂などにより一体成形したものにしてもよい。この場合、旗類装着回転体１０には旗類１２を後付けすることができる。つなぎ部１０ｂで一体化した旗類装着回転体１０を使えば装置の組立て・分解が容易になる。
【００１７】  付加的な提案例であるが、図７に示すように、旗類１２を布のような無風時に垂れ下がるようなものにした場合、それを垂れ下がらないようにするため、旗類１２の上辺と基部縦辺とを通し袋１２ａとし、その通し袋１２ａを通じて中間にコイル部１５を有して直線状に伸びるバネ線材製の面張り用矯正材１５を八の字に曲げた状態にして両先端を挿し込んで直角に弾性復帰させることにより旗類１２に張りを与えるようにしてある。
【００１８】  図８は旗類装着回転体１０の上端からステー１８を突設しステー１８から長屋根型の雨除け１９を張り出し固定したものであり、この雨除け１９は旗類装着回転体１０を降雨から護るのであるが、その高さを旗類１２のＨ程上方に設定したので旗類１２が風で舞い上がったとしても引っ掛からない特長をもつ。
【００１９】  図９は他の提案例を示すもので、旗類装着回転体１０から水平ポール２０を張り出して回転可能とするとともに、水平ポール２０のポール３からＬ程離れたところには旗類２１を配置して旗類２１が風で大きく靡いたときにもポール３にまとわり付かないようにしたものである。
【００２０】  図１０は他の提案例を示すもので、街燈ポール２４に図９のような装置を構成したものである。
【００２１】  図１１は他の提案例を示す。この例は、自然樹木２７をポールである高伸材とするもので、その樹木２７に耐摩耗性の下地筒２８を巻いてそれを締付固定するために設けた半割型（下部）受体２９が下地筒２８に直接でなくゴム質の緩衝材３０を介して成長に無理のないように締付固定するようにしたものを示す。
【符号の説明】
【００２９】  ３…ポール  ５…下地筒  ６…受体  １０…旗類装着回転体  １２…旗類。
【図１】
0003221339.tif 000003
【図２】
0003221339.tif 000004
【図３】
0003221339.tif 000005
【図４】
0003221339.tif 000006
【図５】
0003221339.tif 000007
【図６】
0003221339.tif 000008
【図７】
0003221339.tif 000009
【図８】
0003221339.tif 000010
【図９】
0003221339.tif 000011
【図１０】
0003221339.tif 000012
【図１１】
0003221339.tif 000013